(57)【要約】【課題】空気を屋外へ排気する排気部または空気を吸込むための吸気部の構造が逆流防止弁を一体型にするがゆえ複雑になり、製品の機種が変わるたびに複雑な構造をとる必要が有るため、金型も複雑になり、毎回初期投資が高くなるというデメリットがあった。【解決手段】浴室内の空気を吸込んで浴室内へ温風を供給する温風循環装置と、浴室または脱衣所またはトイレ内の空気を吸込んで屋外に排気する換気装置と、前記温風循環装置及び前記換気装置を制御する制御装置と、該制御装置に操作信号を送信する操作部とを備え、前記換気装置は、空気の逆流を防止するための逆流防止弁を着脱自在に備えたことを特徴とする浴室空調装置。【選択図】　図２
2004116966.tif 000002
【特許請求の範囲】
【請求項１】
浴室内の空気を吸込んで浴室内へ温風を供給する温風循環装置と、浴室または脱衣所またはトイレ内の空気を吸込んで屋外に排気する換気装置と、前記温風循環装置及び前記換気装置を制御する制御装置と、該制御装置に操作信号を送信する操作部とを備え、前記換気装置は、空気の逆流を防止するための逆流防止弁を着脱自在に備えたことを特徴とする浴室空調装置。
【請求項２】
前記逆流防止弁は、前記換気装置に備えられた空気を屋外へ排気する排気部に、着脱自在に設けられたことを特徴とする請求項１記載の浴室空調装置。
【請求項３】
前記逆流防止弁は、前記換気装置に備えられた脱衣所またはトイレ内の空気を吸込むための吸気部に、着脱自在に設けられたことを特徴とする請求項１記載の浴室空調装置。
【請求項４】
前記逆流防止弁は、前記排気部または前記吸気部が、金属製または樹脂製のどちらであっても着脱自在であることを特徴とする請求項２、３記載の浴室空調装置。
【請求項５】
前記逆流防止弁は、空気を送るための風路として形成された筒部と、空気を遮断するための遮断部とからなることを特徴とする請求項１乃至４記載の浴室空調装置。
【請求項６】
前記筒部は、段付き形状に形成され複数の外径を有することを特徴とする請求項５記載の浴室空調装置。
【請求項７】
前記筒部は、空気を送るための風路として両側に開口された開口部のどちら側にも取付け可能であることを特徴とする請求項５、６記載の浴室空調装置。
【請求項８】
前記筒部は、前記排気部または前記吸気部が金属製である場合に固定するための略丸形状の穴部と、前記排気部または前記吸気部が樹脂製である場合に固定するための爪部を有することを特徴とする請求項５乃至請求項７記載の浴室空調装置。
【発明の詳細な説明】
【０００１】
【発明の属する技術分野】
本発明は、一般家庭の浴室に設置することにより、該浴室内の乾燥、暖房、換気等を行う浴室空調装置に関する。
【０００２】
【従来の技術】
従来、浴室内の乾燥、暖房、及び浴室または脱衣所またはトイレ内の換気等を行う浴室空調装置においては、浴室または脱衣所またはトイレ内の空気を吸込んで屋外に排気する換気装置に空気の逆流を防止するための逆流防止弁を一体型に備えていた（例えば、特許文献１参照。）。
【０００３】
【特許文献１】
特許第２８２６２４７号公報（第４頁、第１図）。
【０００４】
【発明が解決しようとする課題】
しかしながら、上記従来の構成では、空気を屋外へ排気する排気部または空気を吸込むための吸気部の構造が逆流防止弁を一体型にするがゆえ複雑になり、製品の機種が変わるたびに複雑な構造をとる必要が有るため、金型も複雑になり、毎回初期投資が高くなるというデメリットがあった。
【０００５】
本発明は、上記課題を解決するためになされたもので、その目的は、浴室空調装置の逆流防止弁を別体にし、着脱自在に取付けることにより、換気装置の構造を簡単にして、製品の機種が変わっても、初期投資を抑えた安価な浴室空調装置を提供することにある。
【０００６】
【課題を解決するための手段及びその作用・効果】
本発明の浴室空調装置においては、浴室内の空気を吸込んで浴室内へ温風を供給する温風循環装置と、浴室または脱衣所またはトイレ内の空気を吸込んで屋外に排気する換気装置と、温風循環装置及び換気装置を制御する制御装置と、制御装置に操作信号を送信する操作部とを備え、換気装置は、空気の逆流を防止するための逆流防止弁を着脱自在に備えたことを特徴としている。
【０００７】
この構成によれば、逆流防止弁に複雑な構造を持たせ、逆流防止弁は製品の機種が変わっても、そのまま転用できるので、換気装置の構造については簡単にすることができ、初期投資を安く抑えることができる。
【０００８】
また、逆流防止弁は、換気装置に備えられた空気を屋外へ排気する排気部に、着脱自在に設けるようにすれば、排気部の構造を簡単にすることができるため、初期投資を安く抑えることができる。
【０００９】
また、逆流防止弁は、換気装置に備えられた脱衣所またはトイレ内の空気を吸込むための吸気部に、着脱自在に設けるようにすれば、吸気部の構造を簡単にすることができるため、初期投資を安く抑えることができる。
【００１０】
更に、逆流防止弁は、排気部または吸気部が、金属製または樹脂製のどちらであっても着脱自在であるようにすれば、排気部または吸気部を金属製及び樹脂製のどちらで構成しても初期投資を安く抑えることができる。
【００１１】
更にまた、逆流防止弁は、空気を送るための風路として形成された筒部と、空気を遮断するための遮断部とからなるようにすれば、簡単な構造で逆流防止弁を構成できる。
【００１２】
また、筒部は、段付き形状に形成され複数の外径を有するようにすれば、排気部または吸気部の大きさが異なっていても着脱自在に取付けることができる。
【００１３】
更に、筒部は、空気を送るための風路として両側に開口された開口部のどちら側にも取付け可能であるようにすれば、同一の逆流防止弁で排気部にも吸気部にも取付けられるので、逆流防止弁を排気部用及び吸気部用にそれぞれ設ける必要がなく、コストが安くて済む。
【００１４】
また、筒部は、排気部または吸気部が金属製である場合に固定するための略丸形状の穴部と、排気部または吸気部が樹脂製である場合に固定するための爪部を有するようにすれば、簡単な構造で着脱可能に取付けることができる。
【００１５】
【発明の実施の形態】
以下に、本発明の実施の形態を添付図面に基づいて詳細に説明する。図１は、本発明の一実施形態に係る浴室空調装置の設置例を示す全体構成図であり、図２は、本発明の一実施形態に係る浴室空調装置の断面図である。
【００１６】
図１に示すように、浴室空調装置Ａは浴室Ｂの天井裏に設置されており、装置本体３１と換気装置４７とは信号線４で接続され、また、装置本体３１と操作部８０とは信号線５で接続されている。
【００１７】
また、換気装置４７は、浴室Ｂに隣接する洗面所Ｃに通じる接続ダクト２と、トイレ（図示しない）に通じる接続ダクト２’と、屋外に通じる排気ダクト１と接続されており、接続ダクト２の先端には洗面所Ｃの空気を吸い込むための吸込口３が設けられ、同様にして、接続ダクト２’にもトイレ（図示しない）の空気を吸い込むための吸込口（図示しない）が設けられている。
【００１８】
浴室空調装置Ａは、図２に示すように、浴室Ｂ内の空気を吸込んで浴室Ｂ内へ温風を供給する温風循環装置１５と、浴室Ｂ内の空気を熱交換させるための熱交換手段１７と、温風循環装置１５と熱交換手段１７とを収納するケーシング９と、浴室Ｂ内の空気を吸込んで屋外に排気する換気装置４７と、温風循環装置１５及び換気装置４７を制御する制御装置３０と、浴室Ｂ内の空気を吸い込むための吸込口３４と浴室内へ空気を循環させるための吹出口３５とを設けた化粧板３６と、制御装置３０に操作信号を送信する操作部８０とから構成されている。
【００１９】
温風循環装置１５は、循環送風機用ケーシング１２と、循環送風機用ケーシング１２内に収められた循環用羽根車１１と、循環用羽根車１１を回転駆動する循環用モーター（図示しない）とから構成される。
【００２０】
また、熱交換手段１７は、浴室Ｂ内の空気を熱交換させるための熱交換部１８と、熱源機（図示しない）より熱交換部１８に温水を供給するための温水入口用配管１９と、熱交換部１８より熱交換した後の温水を熱源機（図示しない）へ戻すための温水出口用配管１９ａとからなる。
【００２１】
一方、換気装置４７は、図１、図２に示すように、外装のためのケーシング１０と、ケーシング１０内に収められた排気送風機用ケーシング４１と、排気送風機用ケーシング４１に内蔵した浴室Ｂ内、洗面所Ｃ内及びトイレ（図示しない）内の空気を吸い込んで屋外へ排気するための排気用羽根車４２と、排気用羽根車４２を回転駆動する排気用モーター４４と、屋外からの空気の逆流を防止するための逆流防止弁２０とから構成されている。
【００２２】
ケーシング１０は、図３に示すように第一の側面より円形状に突出した排気接続部２１と、第二の側面より円形状に突出した吸気接続部２２ａ、２２ｂとを有しており、排気接続部２１には浴室Ｂ内、洗面所Ｃ内及びトイレ（図示しない）内の空気を吸い込んで屋外へ排気するための排気ダクト１が接続され、また、吸気接続部２２ａ、２２ｂにはそれぞれ洗面所Ｃの空気を吸い込むための接続ダクト２と、トイレ（図示しない）の空気を吸い込むための接続ダクト２’とが接続される。
【００２３】
逆流防止弁２０は、図４に示すように空気を送るための風路として形成された筒部２３と、空気を遮断するための遮断部２４とからなり、筒部２３の外周は段付き形状に形成されるのとともに、小さい径には爪部３２が設けられ、大きい径には略丸形状の穴部２６、２６’が設けられており、排気接続部２１に着脱自在に取付けられている。また、排気ダクト１が逆流防止弁２０を覆うようにして排気接続部２１に接続されている。
【００２４】
ここで、排気接続部２１が金属製の場合は、図４に示すように筒部２３の大きい径に設けられた略丸形状の穴部２６が、排気接続部２１に設けられた突起部２７に嵌合することにより、着脱自在に取付けられ、また、排気接続部２１が樹脂製の場合は、図５に示すように筒部２３の小さい径に設けられた爪部３２が、排気接続部２１に設けられた開口部３３に嵌合することにより、着脱自在に取付けられる。
【００２５】
このようにして、排気接続部２１が樹脂製または金属製のように肉厚が異なるゆえ内径が変わっても、筒部２３の外周を段付き形状に形成しているため、排気接続部２１の構造を突起部２７または開口部３３のように簡単な構造の付加のみで着脱自在に取付けることが可能となり、排気接続部２１の初期投資を安く抑えることができる。
【００２６】
なお、筒部２３の外周に設けられた略丸形状の穴部２６’は後述する吸気接続部２２ａ、２２ｂへの取付の際に使うものである。
【００２７】
以上の構成において、浴室Ｂにおける衣類の乾燥運転を行う場合は、操作部８０の乾燥運転スイッチ（図示せず）をオン操作すると、制御装置３０でその操作信号を受信して制御装置３０から熱源機（図示しない）、循環用モーター（図示しない）、排気用モーター４４に運転指令が出力され、熱源機（図示しない）が作動することで、温水入口用配管１９より熱交換部１８に温水が供給され、循環用モーター（図示しない）が駆動して循環用羽根車１１が回転することで、浴室Ｂ内の空気が化粧板３６に設けた吸込口３４から熱交換部１８を通過することにより加熱されて、温風として吹出口３５から浴室Ｂ内に吹き出されるとともに、排気用モーター４４が駆動して排気用羽根車４２が回転することで、浴室Ｂ内の空気が吸込口３４からケーシング９に設けられた開口部５８及びケーシング１０に設けられた開口部５７を通過してケーシング１０内に入り、また、洗面所Ｃ内の空気が吸込口３、接続ダクト２、吸気接続部２２ａを介してケーシング１０内に入り、さらにまた、トイレ（図示しない）内の空気が吸込口（図示しない）、接続ダクト２’、吸気接続部２２ｂを介してケーシング１０内に入り、さらにそれぞれの空気が排気送風機用ケーシング４１内を通った後、排気接続部２１、逆流防止弁２０、排気ダクト１内を通って屋外へ排出されて、衣類の乾燥が行われる。
【００２８】
その際、逆流防止弁２０は、空気が通過する圧力により、遮蔽部２４が、遮蔽部２４に設けられた回転軸２５を中心に回動することにより、風路を開いて空気の流れを形成する。
【００２９】
また、操作部８０の乾燥運転スイッチ（図示しない）をオフ操作すると、制御装置３０でその操作信号を受信して制御装置３０から熱源機（図示しない）、循環用モーター（図示しない）、排気用モーター４４に停止指令が出力され、熱源機（図示しない）が停止することで、熱交換部１８への温水の供給が停止され、循環用モーター（図示しない）が停止して循環用羽根車１１の回転が停止することで、浴室Ｂ内の空気の循環が停止するとともに、排気用モーター４４が停止して排気用羽根車４２の回転が停止することで、屋外への空気の排出を停止することによって、衣類の乾燥が停止する。
【００３０】
その際、逆流防止弁２０は、空気が通過する圧力がなくなることにより、遮蔽部２４が、遮断部２４の自重により回転軸２５を中心にして回動し、風路を閉じる。
【００３１】
遮断部２４は、筒部２３に設けられたシール面２８に密着することにより、屋外からの風を遮断し、換気装置４７、装置本体３１、浴室Ｂ、洗面所Ｃ及びトイレ（図示しない）への逆流を防止する。
【００３２】
また、浴室Ｂの暖房運転を行う場合は、操作部８０の暖房運転スイッチ（図示しない）をオン操作すると、制御装置３０でその操作信号を受信して制御装置３０から熱源機（図示しない）、循環用モーター（図示しない）に運転指令が出力され、熱源機（図示しない）が作動することで、温水入口用配管１９より熱交換部１８に温水が供給され、循環用モーター（図示しない）が駆動して循環用羽根車１１が回転することで、浴室Ｂ内の空気が化粧板３６に設けた吸込口３４から熱交換部１８を通過することにより加熱されて、温風として吹出口３５から浴室Ｂ内に吹き出され、浴室Ｂ内の暖房が行われる。
【００３３】
また、浴室Ｂ、洗面所Ｃ及びトイレ（図示しない）の換気運転を行う場合は、操作部８０の換気運転スイッチ（図示しない）をオン操作すると、制御装置３０でその操作信号を受信して制御装置３０から排気用モーター４４に運転指令が出力され、排気用モーター４４が駆動して排気用羽根車４２が回転することで、浴室Ｂ内の空気が吸込口３４からケーシング９に設けられた開口部５８及びケーシング１０に設けられた開口部５７を通過してケーシング１０内に入り、また、洗面所Ｃ内の空気が吸込口３、接続ダクト２、吸気接続部２２ａを介してケーシング１０内に入り、さらにまたトイレ（図示しない）内の空気が吸込口（図示しない）、接続ダクト２’、吸気接続部２２ｂを介してケーシング１０内に入り、さらにそれぞれの空気が排気送風機用ケーシング４１内を通った後、排気接続部２１、逆流防止弁２０、排気ダクト１内を通って屋外へ排出されて、浴室Ｂ内、洗面所Ｃ内及びトイレ（図示しない）内の換気が行われる。
【００３４】
その際、逆流防止弁２０は、上述の乾燥運転を行う時と同様に、空気が通過する圧力により、遮蔽部２４が、遮蔽部２４に設けられた回転軸２５を中心に回動することにより、風路を開いて空気の流れを形成する。
【００３５】
また、換気運転を停止した際には、上述の乾燥運転を停止する時と同様に、逆流防止弁２０は、空気が通過する圧力がなくなることにより、遮蔽部２４が、遮断部２４の自重により回転軸２５を中心にして回動し、風路を閉じるとともに、遮断部２４は、筒部２３に設けられたシール面２８に密着することにより、屋外からの風を遮断し、換気装置４７、装置本体３１、浴室Ｂ、洗面所Ｃ及びトイレ（図示しない）への逆流を防止する。
【００３６】
図６は、逆流防止弁の使用例を示す別の実施形態に係る逆流防止弁の断面図で、図３における吸気接続部２２ａまたは２２ｂに取付けた場合の実施形態である。
【００３７】
逆流防止弁２０は、図６に示すように空気を送るための風路として形成された筒部２３と、空気を遮断するための遮断部２４とからなり、筒部２３の外周は段付き形状に形成されるのとともに、小さい径には爪部３２が設けられ、大きい径には略丸形状の穴部２６、２６’が設けられており、吸気接続部２２ａまたは２２ｂに着脱自在に取付けられている。また、接続ダクト２または接続ダクト２’が逆流防止弁２０を覆うようにして吸気接続部２２ａまたは２２ｂ接続されている。
【００３８】
また、逆流防止弁２０は、前述の排気接続部２１への取付とは反対方向に筒部２３の大きい径に設けられた略丸形状の穴部２６’が、吸気接続部２２ａまたは２２ｂに設けられた突起部２７’に嵌合することにより、着脱自在に取付けられている。
【００３９】
以上の構成において、浴室Ｂにおける衣類の乾燥運転または浴室Ｂ、洗面所Ｃ及びトイレ（図示しない）の換気運転を行う場合に、逆流防止弁２０は、空気が通過する圧力により、遮蔽部２４が、遮蔽部２４に設けられた回転軸２５を中心に回動することにより、風路を開いて空気の流れを形成し、洗面所Ｃ内及びトイレ（図示しない）内の空気が、それぞれ接続ダクト２または接続ダクト２’、逆流防止弁２０、吸気接続部２２ａまたは吸気接続部２２ｂを介してケーシング１０内に入り、さらに排気送風機用ケーシング４１内を通った後、排気接続部２１、排気ダクト１内を通って屋外へ排出される。
【００４０】
また、浴室Ｂにおける衣類の乾燥運転または浴室Ｂ、洗面所Ｃ及びトイレ（図示しない）の換気運転を停止した場合、逆流防止弁２０は、空気が通過する圧力がなくなることにより、遮蔽部２４が、遮断部２４の自重により回転軸２５を中心にして回動し、風路を閉じる。
【００４１】
遮断部２４は、筒部２３に設けられたシール面２８に密着することにより、屋外からの風を遮断し、洗面所Ｃ及びトイレ（図示しない）への逆風を防止するのとともに、浴室の湿気を洗面所Ｃ及びトイレ（図示しない）へ漏らさずに済む。
【図面の簡単な説明】
【図１】本発明の一実施形態に係る浴室空調装置の設置例を示す全体構成図である。
【図２】本発明の一実施形態に係る浴室空調装置の断面図である。
【図３】本発明の一実施形態に係る浴室空調装置の斜視図である。
【図４】本発明の一実施形態に係る逆流防止弁の断面図である。
【図５】本発明の一実施形態に係る逆流防止弁の断面図である。
【図６】本発明の一実施形態に係る逆流防止弁の断面図である。
【符号の説明】
Ａ…浴室空調装置
Ｂ…浴室
Ｃ…脱衣所
１…排気ダクト
２…接続ダクト
２’…接続ダクト
３…吸込口
４…信号線
５…信号線
９…ケーシング
１０…ケーシング
１１…循環用羽根車
１２…循環送風機用ケーシング
１５…温風循環装置
１７…熱交換手段
１８…熱交換部
１９…温水入口用配管
１９ａ…温水出口用配管
２０…逆流防止弁
２１…排気接続部
２２ａ…吸気接続部
２２ｂ…吸気接続部
２３…筒部
２４…遮断部
２５…回転軸
２６…穴部
２６’…穴部
２７…突起部
２７’…突起部
２８…シール面
３０…制御装置
３１…装置本体
３２…爪部
３３…開口部
３４…吸込口
３５…吹出口
３６…化粧板
４１…排気送風機用ケーシング
４２…排気用羽根車
４４…排気用モーター
４７…換気装置
５７…開口部
５８…開口部
８０…操作部
【図１】
2004116966.tif 000003
【図２】
2004116966.tif 000004
【図３】
2004116966.tif 000005
【図４】
2004116966.tif 000006
【図５】
2004116966.tif 000007
【図６】
2004116966.tif 000008